(57)【要約】【課題】エスカレータや動く歩道等のハンドレールを有効に殺菌することができ、特に、エスカレータ等の稼働時間中にその殺菌効果を持続させることが可能な殺菌装置を提供する。【解決手段】エスカレータ１００の回動するハンドレール１０６Ａ、１０６Ｂが通過する箇所の近傍に設けられる殺菌装置２００Ａ、２００Ｂであって、所定の電源からの電源供給により殺菌用紫外線を発する紫外線殺菌ランプと、紫外線殺菌ランプを保持する保持手段としての筐体２０４Ａ等を有し、紫外線殺菌ランプを第１、第２及び第３の紫外線殺菌ランプから構成し、筐体２０４Ａは、第１の紫外線殺菌ランプをハンドレール１０６Ａ等の主面１０６１Ａを構成する外周面側の近傍にその回動方向と直交する方向に沿って保持し、第２及び第３の紫外線殺菌ランプをハンドレールの主面の両側面それぞれの側の近傍に回動方向と平行する方向に沿って保持するように構成した。【選択図】図１
2011073874.tif 000002
【特許請求の範囲】
【請求項１】
エスカレータ又は動く歩道の回動するハンドレールが通過する箇所の近傍に設けられる殺菌装置であって、所定の電源からの電源供給により殺菌用電磁波を発する少なくとも一つの電磁波発生手段と、該電磁波発生手段の発する電磁波が、少なくとも前記回動するハンドレールの主面を構成する外周面側に照射されるように該電磁波発生手段を前記近傍で保持する保持手段と、を有することを特徴とする殺菌装置。
【請求項２】
前記殺菌用電磁波は紫外線であり、前記電磁波発生手段は紫外線殺菌ランプにより構成されることを特徴とする請求項１に記載の殺菌装置。
【請求項３】
前記紫外線殺菌ランプは、前記回動するハンドレールの主面を構成する外周面側と該主面の両側面側を直接照射可能な形状を有することを特徴とする請求項２に記載の殺菌装置。
【請求項４】
前記紫外線殺菌ランプは、第１、第２及び第３の３本のランプから構成され、前記保持手段は、前記第１のランプを前記主面を構成する外周面側の近傍に前記回動方向と直交する方向に沿って保持し、前記第２及び第３のランプを前記両側面それぞれの側の近傍に前記回動方向と平行する方向に沿って保持するように構成されることを特徴とする請求項３に記載の殺菌装置。
【請求項５】
前記紫外線殺菌ランプの発する紫外線が前記エスカレータ又は動く歩道の搭乗者にも照射されないように遮蔽する遮蔽手段を設けたことを特徴とする請求項２乃至４のいずれか１項に記載の殺菌装置。
【請求項６】
前記遮蔽手段は、前記紫外線殺菌ランプの発する紫外線が前記エスカレータ又は動く歩道の搭乗者の目に入らないように遮蔽するものであることを特徴とする請求項５に記載の殺菌装置。
【発明の詳細な説明】
【技術分野】
【０００１】
本発明は、エスカレータ・動く歩道等のハンドレール殺菌装置に関し、特に、当該ハンドレールに紫外線等の電磁波を照射することにより殺菌する殺菌装置に関する。
【背景技術】
【０００２】
近年、鳥インフルエンザ、豚インフルエンザ等の新型のインフルエンザが世界的に流行し、わが国でも、特に、豚インフルエンザ系の新型のインフルエンザの患者の死亡例が出る等大きな社会問題になっている。
【０００３】
これらの新型のインフルエンザに限らず、インフルエンザ等の呼吸器系の感染症では、患者のくしゃみ・咳等の飛沫による感染経路（空気感染）と並んで、患者が触ったもの、或いは患者のくしゃみ・咳等の飛沫が付着したものを他の人が触り、その手で自分の鼻を触ったり物を食べたりすることによる感染経路（接触感染）が問題となり、そのため、特にインフルエンザ等の流行期には、人ごみに出る時はマスクをし、人ごみに出た後は帰宅後等にうがいや石鹸等による手洗いを良く行うこと等が感染の予防の上で有効であるとされている（例えば、特許文献１参照）。
【０００４】
西暦２００８年から２００９年にかけて上述した豚インフルエンザ系の新型のインフルエンザが世界的な大問題となり、２００９年度には我が国でも患者の死亡例が複数出る等深刻な状況となっており、官民そろってのその感染の有効な予防対策が急務となっているが、上述したように、人ごみに出る時はマスクをし、人ごみに出た後は帰宅後等にうがいや石鹸等による手洗いを良く行うこと等の個人としての予防対策しか提案されていないのが実情であった。
【０００５】
そこで、かかる流行する感染症に対しての個人側からだけでなく社会の側（公共等の施設側）からのシステムとしての感染予防対策が熱望されている。
【先行技術文献】
【特許文献】
【０００６】
【特許文献１】特開２００５−２７９２２６号公報
【発明の概要】
【発明が解決しようとする課題】
【０００７】
本発明者は、上述した感染経路のうち、特に、接触感染の経路において、社会の側（公共等の施設側）からのシステムとしての感染予防対策について鋭意研究を行ったところ、公共の施設（人ごみ）での重要な接触感染の機会として、電車や地下鉄等の駅における、また、デパート等の多数階から成る施設におけるエスカレータのベルト（以下、ハンドレールと言う）が考えられることに想到した。これらエスカレータのハンドレールは、人が乗る左右の両側に安全のために設けられており、子供を含めて殆ど全てのエスカレータの搭乗者が少なくともその一方の手を置くものである。しかも、通常、大人であれば、ハンドレールの上部に手のひらを置くだけでなくその左右の側部にも親指又は小指等をかけてハンドレールをしっかりと把持しながら搭乗するのが普通である。従って、感染者が自分の咳やくしゃみ等による飛沫がかかり菌が付着した手のひらをハンドレールの上部に置くだけでなく鼻等を触った親指又は小指でハンドレールの側部をつかむこともあり、その接触度或いは菌やウイルスの伝播度はとても高いものがある。
【０００８】
そして、これらエスカレータの搭乗者は、降りた後も電車や地下鉄で職場や自宅に向かい、或いはデパートで買い物をする等の時間を過ごすことから菌やウイルスが付着した手で自分の鼻や口等に触れる機会も多くならざるを得ない。
【０００９】
かように（感染経路という意味で）危険なエスカレータ等のハンドレールでありながら、従来は、その消毒や殺菌というよりも清掃の意味も含めて、例えば、エスカレータ等の非稼動時間中に、清掃員が消毒用アルコール液に浸した拭き布でハンドレールをぬぐって清掃（消毒・殺菌）することしかなされていなかった。
【００１０】
しかしながら、このように清掃員が消毒用アルコール液に浸した拭き布でハンドレールをぬぐって清掃（消毒・殺菌）する場合には、アルコール成分によりハンドレールの腐食が進み、およそ２−３年でハンドレールを新しいものに交換する必要性が生じるが、その交換のために（新しいハンドレールの購入費及び交換作業代）２００万円以上の費用がかかる等、コスト面で大きな問題があった。また、たとえ消毒用アルコール液に浸した拭き布でハンドレールをぬぐって清掃したとしても、その消毒・殺菌効果は持続せず、アルコールが完全に乾いてしまえば殆どその効果は無くなり、実際上、エスカレータが稼動して多くの人がハンドレールに触れる時間中は、汚れが取れているという清掃面での効果以外は、全く期待できなかった。
【００１１】
以上の問題は、エスカレータに限らず、いわゆる高低差の無い動く歩道のハンドレールにも全く同様に当てはまる。
【００１２】
本発明の目的は、エスカレータや動く歩道等のハンドレールを有効に殺菌することができ、特に、エスカレータ等の稼働時間中にその殺菌効果を持続させることが可能な殺菌装置を提供することにある。
【課題を解決するための手段】
【００１３】
本発明者は、エスカレータ等の稼働時間中にはそのハンドレールが一定周期で回動し、毎回動ごとにハンドレールが同一箇所を通過する性質に着目し、しかも、清掃員等の作業者を必要とすること無く、自動的に殺菌できる上に、エスカレータの稼働時間中はその殺菌効果を高い状態で持続させることが可能な、新規な殺菌装置の構成を見出した。
【００１４】
また、その殺菌装置を、エスカレータ等の稼働時間中にも搭乗者の邪魔にならずに、ハンドレールを自動的に継続して殺菌できるようにエスカレータ等に取り付ける構成も新規に見出した。
【００１５】
即ち、上記目的を達成するため、本発明は、エスカレータ又は動く歩道の回動するハンドレールが通過する箇所の近傍に設けられる殺菌装置であって、所定の電源からの電源供給により殺菌用電磁波を発する少なくとも一つの電磁波発生手段と、該電磁波発生手段の発する電磁波が、少なくとも前記回動するハンドレールの主面を構成する外周面側に照射されるように該電磁波発生手段を前記近傍で保持する保持手段と、を有することを特徴とする。
【００１６】
ここで、前記殺菌用電磁波は紫外線であり、前記電磁波発生手段は紫外線殺菌ランプにより構成するのが好適である。
【００１７】
また、前記紫外線殺菌ランプは、前記回動するハンドレールの主面を構成する外周面側と該主面の両側面側を直接照射可能な形状を有するようにしても良い。
【００１８】
更に、前記紫外線殺菌ランプは、第１、第２及び第３の３本のランプから構成され、前記保持手段は、前記第１のランプを前記主面を構成する外周面側の近傍に前記回動方向と直交する方向に沿って保持し、前記第２及び第３のランプを前記両側面それぞれの側の近傍に前記回動方向と平行する方向に沿って保持するように構成しても良い。
【００１９】
更にまた、前記紫外線殺菌ランプの発する紫外線が前記エスカレータ又は動く歩道の搭乗者にも照射されないように遮蔽する遮蔽手段を設けても良い。
【００２０】
尚、前記遮蔽手段は、前記紫外線殺菌ランプの発する紫外線が前記エスカレータ又は動く歩道の搭乗者の目に入らないように遮蔽するものであっても良い。
【発明の効果】
【００２１】
本発明によれば、エスカレータ又は動く歩道の回動するハンドレールが通過する箇所の近傍に、電磁波発生手段の発する電磁波が、少なくとも前記回動するハンドレールの主面を構成する外周面側に照射されるように該電磁波発生手段を前記近傍で保持するので、エスカレータ又は動く歩道の稼働時間中にそれらのハンドレールが回動して該近傍を通過することにより、ハンドレールの全長に亘って少なくとも前記外周面側に自動的に殺菌用電磁波を照射して殺菌することができる。従って、エスカレータや動く歩道の稼働時間中にそのハンドレールを有効に殺菌することができる。また、殺菌用電磁波の照射はハンドレールの一回動ごとに毎回行われるので、その殺菌効果を持続させることが可能である。尚、少なくともハンドレールの主面を構成する外周面側を照射するので、通常、搭乗者の手のひらが置かれる主面（搭乗者が手を置く時のハンドレールの上面）を有効に殺菌可能である。
【００２２】
ここで、殺菌用電磁波には紫外線を用い、電磁波発生手段は紫外線殺菌ランプにより構成することで、既存の紫外線殺菌ランプ等を利用して比較的簡単且つ低コストに殺菌装置を構成することができる。
【００２３】
また、紫外線殺菌ランプを前記外周面側とその両側面側を直接照射可能な形状にすることで、ハンドレールの全長に亘って、前記外周面側だけでなく、その両側面側をも自動的に紫外線を照射して殺菌することができる。かかる形状としては、例えば、半円形状や弧形状が考えられ、或いは半矩形状が考えられる。また、例えば、その半矩形状は１本の紫外線殺菌ランプにより構成しても良いし、３本の紫外線殺菌ランプにより構成しても良い。これにより、ハンドレールの主面を構成する外周面側だけでなく、通常、搭乗者が親指や小指等で把持する両側面（搭乗者が手を置く時のハンドレールの両側面）を有効に殺菌可能である。
【００２４】
更に、紫外線殺菌ランプを第１、第２及び第３の３本のランプから構成し、保持手段により第１のランプをハンドレールの外周面側の近傍に回動方向と直交する方向に沿って保持し、第２及び第３のランプをハンドレールの両側面それぞれの側の近傍に回動方向と平行する方向に沿って保持するので、通常、搭乗者の手のひらが置かれる主面（搭乗者が手を置く時のハンドレールの上面）を洩れなく照射・殺菌可能である上に、搭乗者が親指や小指等で把持する両側面（搭乗者が手を置く時のハンドレールの両側面）を同じ１回の通過でより長時間照射・殺菌可能である。
【００２５】
更にまた、紫外線殺菌ランプの発する紫外線がエスカレータ又は動く歩道の搭乗者にも照射されないように遮蔽する遮蔽手段を設けるので、搭乗者の健康への影響を無くすことが可能である。
【００２６】
尚、遮蔽手段を紫外線殺菌ランプの発する紫外線がエスカレータ又は動く歩道の搭乗者の目に入らないように遮蔽するものに構成するので、搭乗者の目の健康への影響を無くすことが可能な上に、殺菌装置周辺のエスカレータ等の設備の美観を損なわない。
【図面の簡単な説明】
【００２７】
【図１】本発明の第１の実施形態に係る殺菌装置が適用されたエスカレータの全体構成を示す斜視図である。
【図２】図１の殺菌装置の紫外線殺菌ランプとその保持手段（筐体）の構成を示す図である。
【図３】本発明の第２の実施形態に係る殺菌装置の紫外線殺菌ランプの構成を示す図である。
【発明を実施するための形態】
【００２８】
本発明の実施の諸形態に係る殺菌装置について図面を参照して詳細に説明する。
【００２９】
図１は、本発明の第１の実施形態に係る殺菌装置が適用されたエスカレータの全体構成を示す斜視図である。
【００３０】
図１に示すエスカレータ１００は、通常のデパートや地下鉄等の駅における上階から下階へ又は下階から上階への昇降用に用いられるエスカレータである。ここでは、上階から下階への降り用のエスカレータとして示されている。
【００３１】
このエスカレータ１００は、その左右の両側にそれぞれ立設されている側壁１０２Ａ、１０２Ｂと、その側壁１０２Ａ、１０２Ｂに沿ってそれぞれ周回・回動するハンドレール１０６Ａ、１０６Ｂと、その上に立つ搭乗者を搬送するためのステップ１０４と、搭乗者がそこからステップ１０４に昇降する昇降部１０８とを有している。側壁１０２Ａ、１０２Ｂは、子供等の搭乗者が倒れたりステップ１０４に挟まれたり等の緊急事態や爆発物等の危険物の発見等を容易にするために透明なガラス板或いはアクリル板等により形成されている。ハンドレール１０６Ａ、１０６Ｂは、ステップ１０４の移動速度と略等速度で側壁１０２Ａ、１０２Ｂに沿ってそれぞれエンドレスに周回・回動するものであり、通常は、弾性を有するプラスチック材料やゴム材等から構成されており、本実施例では、弾性を有するプラスチック材料から構成されている。本実施例では、エスカレータ１００は上階から下階への降り用であるため、ハンドレール１０６Ａ、１０６Ｂは、側壁１０２Ａ、１０２Ｂに沿って、同図中に矢印で示す方向に、摺動回転（回動）する。
【００３２】
ここで、本実施形態では、エスカレータ１００の回動するハンドレール１０６Ａ、１０６Ｂがそれぞれ通過する箇所の近傍であり、昇降部１０８に近接してそれぞれ設けられる殺菌装置２００Ａ、２００Ｂを備えている。各殺菌装置２００Ａ、２００Ｂは、後述するように所定の電源からの電源供給により殺菌用電磁波としての紫外線を発する電磁波発生手段と、この電磁波が、回動するハンドレール２００Ａ、２００Ｂの主面を構成する外周面側に照射されるように電磁波発生手段を上記近傍箇所で保持する保持手段とを有するものである。即ち、本実施形態では、上記殺菌用電磁波は紫外線であり、電磁波発生手段は紫外線殺菌ランプにより構成されている。尚、図１において、各殺菌装置２００Ａ、２００Ｂの紫外線殺菌ランプは、図示省略されている。
【００３３】
図２は、図１の各殺菌装置２００Ａ、２００Ｂにおける紫外線殺菌ランプの保持手段（筐体）とその紫外線殺菌ランプの構成を示す図である。説明の便宜上、殺菌装置２００Ａの構成についてのみ説明するが、殺菌装置２００Ｂについても、紫外線殺菌ランプや点灯部、電源コード等の配置が左右対称である以外は、殺菌装置２００Ａと同様である。
【００３４】
殺菌装置２００Ａは、電磁波発生手段としての紫外線殺菌ランプ２０２Ａをハンドレール１０６Ａが通過する近傍箇所で保持する保持手段としての筐体２０４Ａを有している。この筐体２０４Ａは、図１に示すように、断面略コ字状に形成され、その内側面２０４１Ａ、２０４２Ａ、２０４３Ａの三面がハンドレール１０６Ａの主面１０６１Ａを構成する外周面側、両側面１０６２Ａ、１０６３Ａにそれぞれ近接するように配設されている。本実施形態では、ハンドレール１０６Ａの主面１０６１Ａを構成する外周面側に近接する内側面２０４１Ａ上に、ハンドレール１０６Ａの幅方向（ハンドレール１０６Ａの回動方向と直交する方向）に沿って、中空棒状の１本の紫外線殺菌ランプ２０２Ａが保持されている。即ち、紫外線殺菌ランプ２０２Ａは、保持手段としての筐体２０４Ａにより、ハンドレール１０６Ａの主面１０６１Ａを構成する外周面側にその紫外線が照射されるように保持され、取付けられている。尚、この紫外線殺菌ランプ２０２Ａは、コード２０２１Ａを介して点灯部２０２２Ａに接続され、更には電源コード２０２３Ａの先端のプラグ２０２４Ａにより通常のＡＣ電源に接続されることで、紫外線を照射するものである。尚、点灯部２０２２Ａに設けた図示しないスイッチにより、その照射のＯＮとＯＦＦを切替えるようにしても良い。ここで、紫外線殺菌ランプ２０２Ａの照射する紫外線は、ターゲットとする細菌やウィルスを殺菌するのに十分な強度のものとする。
【００３５】
本実施形態によれば、エスカレータ１００の回動するハンドレール１０６Ａが通過する箇所の近傍に、紫外線殺菌ランプ２０２Ａの発する紫外線が、少なくとも回動するハンドレール１０６Ａの主面１０６１Ａを構成する外周面側に照射されるように紫外線殺菌ランプ２０２Ａをその近傍で保持するので、エスカレータ１００の稼働時間中にそれらのハンドレール１０６Ａが回動して該近傍を通過することにより、ハンドレール１０６Ａの全長に亘って少なくとも上記外周面側に自動的に殺菌用電磁波を照射して殺菌することができる。従って、エスカレータ１００の稼働時間中にそのハンドレール１０６Ａを有効に殺菌することができる。また、殺菌用電磁波の照射はハンドレール１０６Ａの一回動ごとに毎回行われるので、その殺菌効果を持続させることが可能である。尚、少なくともハンドレール１０６Ａの主面１０６１Ａを構成する外周面側を照射するので、通常、搭乗者の手のひらが置かれる主面１０６１Ａ（搭乗者が手を置く時のハンドレールの上面）を有効に殺菌可能である。また、殺菌用電磁波には紫外線を用い、電磁波発生手段は紫外線殺菌ランプ２０２Ａにより構成することで、既存の紫外線殺菌ランプ等を利用して比較的簡単且つ低コストに殺菌装置２００Ａを構成することができる。
【００３６】
尚、変形例として、紫外線殺菌ランプは、回動するハンドレール１０６Ａの主面１０６１Ａを構成する外周面側と主面１０６１Ａの両側面１０６２Ａ、１０６３Ａ側を直接照射可能な形状を有するようにしても良い。例えば、図２に示す中空棒状の１本の紫外線殺菌ランプ２０２Ａと異なり、内側面２０４１Ａ、２０４２Ａ、２０４３Ａの三面に沿って配置されるコ字型のランプやこれら三面に略沿って配置される半円形状や弧形状のランプ等を用いるようにしても良い。また、例えば、そのコ字型のランプは１本の紫外線殺菌ランプにより構成しても良いし、３本の紫外線殺菌ランプにより構成しても良い。
【００３７】
このように、ハンドレール１０６Ａの主面１０６１Ａを構成する外周面側と主面１０６１Ａの両側面１０６２Ａ、１０６３Ａ側を直接照射可能な形状にすることで、ハンドレール１０６Ａの全長に亘って、上記外周面側だけでなく、その両側面１０６２Ａ、１０６３Ａ側をも自動的に紫外線を照射して殺菌することができる。これにより、ハンドレール１０６Ａの主面１０６１Ａを構成する外周面側だけでなく、通常、搭乗者が親指や小指等で把持する両側面（搭乗者が手を置く時のハンドレールの両側面）１０６２Ａ、１０６３Ａを有効に殺菌可能である。
【００３８】
図３は、本発明の第２の実施形態に係る殺菌装置の紫外線殺菌ランプの構成を示す図である。本実施形態に係る殺菌装置３００Ａでは、紫外線殺菌ランプは、第１のランプ３０１、第２のランプ３０２及び第３のランプ３０３の３本のランプから構成され、保持手段としての筐体３１０は、第１のランプ３０１をハンドレール１０６Ａの主面１０６１Ａを構成する外周面側の近傍にハンドレール１０６Ａの回動方向と直交する方向に沿って保持し（この点は第１の実施形態と同様）、第２のランプ３０２をハンドレール１０６Ａの側面１０６２Ａの側の近傍に上記回動方向と平行する方向に沿って保持し、また、第３のランプ３０３をハンドレール１０６Ａの他方の側面１０６３Ａの側の近傍に上記回動方向と平行する方向に沿って保持するように構成されている。
【００３９】
即ち、第１のランプ３０１は、内側面２０４１Ａ上に、ハンドレール１０６Ａの幅方向（ハンドレール１０６Ａの回動方向と直交する方向）に沿って保持されている。また、第２のランプ３０２は、内側面２０４２Ａ上（内側面２０４２Ａの内側）に、ハンドレール１０６Ａの上記回動方向と平行する方向に沿って保持されている。更に、第３のランプ３０３は、内側面２０４３Ａ上（内側面２０４３Ａの内側）に、ハンドレール１０６Ａの上記回動方向と平行する方向に沿って保持されている。
【００４０】
本実施形態によれば、紫外線殺菌ランプを第１のランプ３０１、第２のランプ３０２及び第３のランプ３０３の３本のランプから構成し、保持手段としての筐体３１０により第１のランプ３０１をハンドレール１０６Ａの外周面側の近傍に回動方向と直交する方向に沿って保持し、第２及び第３のランプ３０２及び３０３をハンドレール１０６Ａの両側面１０６２Ａ、１０６３Ａそれぞれの側の近傍に回動方向と平行する方向に沿って保持するので、通常、搭乗者の手のひらが置かれる主面（搭乗者が手を置く時のハンドレールの上面）１０６１Ａを洩れなく照射・殺菌可能である上に、搭乗者が親指や小指等で把持する両側面（搭乗者が手を置く時のハンドレールの両側面）１０６２Ａ、１０６３Ａを同じ１回の通過でより長時間照射・殺菌可能である。
【００４１】
尚、以上の第１及び第２の実施形態の変形例として、紫外線殺菌ランプの発する紫外線がエスカレータ１００の搭乗者にも照射されないように遮蔽する遮蔽手段を設けても良い。また、この遮蔽手段は、紫外線殺菌ランプの発する紫外線がエスカレータ１００の搭乗者の目に入らないように遮蔽するものであるようにしても良い。
【００４２】
かかる変形例によれば、紫外線殺菌ランプの発する紫外線がエスカレータ１００の搭乗者にも照射されないように遮蔽する遮蔽手段を設けるので、搭乗者の健康への影響を無くすことが可能である。また、遮蔽手段を紫外線殺菌ランプの発する紫外線がエスカレータ１００の搭乗者の目に入らないように遮蔽するものに構成するので、搭乗者の目の健康への影響を無くすことが可能な上に、殺菌装置周辺のエスカレータ１００等の設備の美観を損なわない。
【００４３】
この最後の変形例と同様の作用効果を得る実施形態として、第１又は第２の実施形態と同様の殺菌装置２００Ａ又は３００Ａが、エスカレータ１００の下方、例えば、側壁１０２Ａ、１０２Ｂの下方（エスカレータ１００の駆動機構の配設場所と同様の箇所）に配置される実施形態としても良い。これにより、紫外線殺菌ランプの発する紫外線がエスカレータ１００の搭乗者には照射されなくなるので、搭乗者の健康への影響を無くすことが可能である。また、紫外線殺菌ランプの発する紫外線がエスカレータ１００の搭乗者の目に入らないようになるので、搭乗者の目の健康への影響を無くすことが可能な上に、殺菌装置周辺のエスカレータ１００等の設備の美観を損なわない。デパート等のエスカレータの殺菌装置では、かかる形態が望ましい。
【００４４】
以上、本発明について実施の形態をもとに説明したが、本発明は上記実施形態に限定されるものではなく、特許請求の範囲の要旨を逸脱しない範囲で種々変更することができる。
【００４５】
例えば、上記実施形態では、エスカレータの回動するハンドレールに紫外線を照射することにより殺菌したが、動く歩道のハンドレールの場合にも同様の殺菌装置を適用することができる。
【００４６】
また、エスカレータや動く歩道の回動するハンドレールの通過する箇所の近傍に設置してそのハンドレールが回動することで自動的にハンドレールの全長に亘って殺菌する電磁波を照射するものであれば、紫外線以外にも、電子線等他の電磁波を照射するものでも良い。
【産業上の利用可能性】
【００４７】
本発明は、上述した実施形態におけるように、エスカレータや動く歩道の回動するハンドレールの通過する箇所の近傍に設置してそのハンドレールに紫外線を照射することによる殺菌装置に限定されるものでは無く、エスカレータや動く歩道の回動するハンドレールの通過する箇所の近傍に設置してそのハンドレールが回動することで自動的にハンドレールの全長に亘って殺菌する電磁波を照射するものであれば、電子線等を照射する他の殺菌装置にも広く適用可能である。
【符号の説明】
【００４８】
１００  エスカレータ、  １０２Ａ、１０２Ｂ  側壁、
１０６Ａ、１０６Ｂ  ハンドレール、  １０４  ステップ、
１０８  昇降部、  ２００Ａ、２００Ｂ  殺菌装置、
２０２Ａ  紫外線殺菌ランプ、  ２０４Ａ  筐体、
２０４１Ａ、２０４２Ａ、２０４３Ａ  内側面、  １０６１Ａ  主面、
１０６２Ａ、１０６３Ａ  側面、
【図１】
2011073874.tif 000003
【図２】
2011073874.tif 000004
【図３】
2011073874.tif 000005